(57)【要約】【課題】液晶モニタ等のディスプレイの画面上下端等に文字情報を表示するようにし、番組リポータが一人でも収録可能にしたテレビカメラを提供することを目的とする。【解決手段】光信号を電気信号に光電変換する固体撮像素子１０と、固体撮像素子１０の出力を処理し映像信号を出力する映像系ＤＳＰ１１と、文字情報を文字映像信号に変換する文字表示処理回路１５と、映像系ＤＳＰ１１と文字表示処理回路１５との夫々の出力を混合した映像信号を作成して出力し、混合した映像信号の表示および記録を制御する表示／記録制御部１２と、表示／記録制御部１２から出力される文字情報を混合した映像信号を表示する液晶モニタ１４と、表示／記録制御部１２に基づいて混合した映像信号を記録する記録媒体１３とを具えている。【選択図】図１
2009290252.tif 000002
【特許請求の範囲】
【請求項１】
光信号を電気信号に光電変換する固体撮像素子と、
該固体撮像素子の出力を処理し映像信号を出力する映像信号処理手段と、
取材文字情報を文字映像信号に変換する文字表示処理手段と、
前記映像信号処理手段と前記文字表示処理手段との夫々の出力を混合した映像信号を作成して出力すると共に、該混合した映像信号の表示および記録を制御する表示記録制御手段と、
前記表示記録制御手段から出力される前記混合した映像信号を表示するモニタと、
前記表示記録制御手段に基づいて前記混合した映像信号を記録する記録媒体とを具えたことを特徴とするテレビカメラ。
【請求項２】
前記テレビカメラが撮影時間情報または記録時間情報を映像信号に変換する時間表示処理手段を有し、前記表示記録制御手段が前記時間表示処理手段の出力を前記取材文字情報を混合した映像信号に混合する手段を有することを特徴とする請求項１に記載のテレビカメラ。
【請求項３】
前記文字表示処理手段が文字入力端子を有し、該文字入力端子から前記取材文字情報を入力し、該取材文字情報から文字情報と該文字情報を前記モニタの所定位置に表示するための位置情報を抽出する文字抽出手段と、前記文字抽出手段からの該文字情報と該位置情報とに基づいて文字映像信号に変換する文字映像作成手段とを有することを特徴とする請求項１に記載のテレビカメラ。
【請求項４】
前記位置情報が前記モニタの画面上端および下端を指定する情報であることを特徴とすることを特徴とする請求項３に記載のテレビカメラ。
【請求項５】
前記表示記録制御手段が上下鏡像反転入力端子を有し、該上下鏡像反転入力端子からの反転入力信号により、前記映像信号処理手段からの出力信号のみを上下鏡像信号として前記モニタに表示することを特徴とする請求項１に記載のテレビカメラ。
【発明の詳細な説明】
【技術分野】
【０００１】
本発明は、撮像信号に基づく映像を液晶モニタ等のディスプレイに表示し、フラッシュメモリなどの記憶媒体に映像信号を記録するテレビカメラに関し、詳しくは、取材映像と共に文字情報を液晶モニタに表示して記録媒体に記録し、かつ記録時間や番組に関する時間情報を表示可能としたテレビカメラに関する。
【背景技術】
【０００２】
放送局で放送する番組には、スタジオからの生放送やスポーツ放送等を生中継する番組、或いは、ある場所に取材に行き、テレビカメラで撮影して映像信号や音声信号をハードディスクなどの記録媒体に記録し、記録媒体に記録した映像データ等を編集し番組を構成し放送する番組がある。通常、現地での取材はカメラマンとリポータがペアで収録に当たり、テレビカメラに収録した映像データ等を放送局に持ち帰って編集し、放送時間に合わせた長さの番組に編成して放送している。この編集作業は台本に基づいて放送番組が作成されており、台本を正確に把握しない限り放送番組を制作することができない。カメラマンが撮影する際はビューファインダや液晶モニタを見てレンズの焦点や画角等の設定といったカメラワークに終始し撮影を行っており、台本に目を移すことが難しい場合が多い。
【０００３】
従来、このような問題点を解決することができるテレビカメラ装置の電子台本装置がある。この電子台本装置はテレビカメラに装備されたビューファインダの画面に台本情報を表示可能にしている。図６（ａ）は従来のテレビカメラ本体（図示無し）に装着される電子台本装置のブロック図を示し、同図（ｂ）はビューファインダ（図示無し）に表示した二画面を示している。同図（ａ）の電子台本装置はビデオセレクタ１と操作部２とから構成され、ビデオセレクタ１は原稿信号の入力端子３とオンエアビデオ信号の入力端子４とが備えられ、入力端子３にはスーパーインポーズ信号発生回路５と同期分離回路６とが接続され、入力端子４にはオンエアビデオ信号の振幅を下げて輝度を低下させたビデオ信号とするレベルシフト回路７が接続され、スーパーインポーズ信号発生回路５とレベルシフト回路７との後段にはこれらの出力を混合する白レベル設定器９を備える混合回路８が接続され、さらに後段には切替器１０が備えられて出力端子１１に接続されている。切替器１０は操作部２のスイッチ２ａ，２ｂ，２ｃを操作することによって、切替器１０の接点が端子ｃ，ｄ，ｅの何れかに切り替えられ、台本原稿信号、オンエアビデオ信号、二画面信号の何れかが選択されて出力端子１１からビューファインダへと出力される。例えば、操作部２の二画面スイッチ２ｃを操作すると、切替器１０の接点が端子ｅに接続されて二画面信号が選択されて出力され、ビューファインダの画面には図６（ｂ）の台本原稿映像Ａと主映像Ｂとの二画面が重畳されて表示される。なお、切替器１０の端子ｃ，ｄからは、台本原稿信号、オンエアビデオ信号が夫々出力される（例えば、特許文献１参照）。
【０００４】
【特許文献１】特開２００２−３５４２９６号公報
【発明の開示】
【発明が解決しようとする課題】
【０００５】
放送番組の取材は前述のように、番組リポータとテレビカメラマンを含めても最低二人必要となり、番組の制作における人件費が高騰し、制作費が高騰する要因であった。取材には、例えば、「デパートの地下」などでの「グルメリポート」のよういに短い時間の映像を編集した放送番組がある。この種の取材では取材場所を移動しながら撮影を繰り返し、放送素材を放送局に持ち帰って編集し直し放送しており、その編集作業に時間を要し手間取ったり、人件費が嵩むおそれがあった。番組制作は低価格で制作可能であることが好ましく、このような放送番組ではリポータが現地で撮影して収録することが望ましい。また、収録した記録媒体を放送局に持ち帰り編集する必要がなく、取材時に編集を兼ねて撮影が可能であれば、番組制作費用を安価なものにすることができる。
【０００６】
従来例の電子台本装置を備えるテレビカメラは、テレビカメラに台本バサミが取り付けられ、台本バサミで支持した台本を撮影画像と交互に確認しテレビカメラを操作していたが、ズームやフォーカス操作のタイミングのズレが発生するおそれがあり、テレビカメラを操作しながらビューファインダに表示される台本情報を確認できるようにし、このような課題を解消したものである。しかし、この電子台本装置はスタジオで使用されるものであり、現地取材には好ましいものではないし、台本情報は映像に重ねるように表示するか、又は、映像自体を縦或いは横方向に圧縮し、この圧縮した撮影画像の空き領域に台本情報を嵌め込んで表示したものであり、オンエア時は台本情報が送出されないように構成されている。この電子台本装置を備えるテレビカメラは、番組リポータが一人で収録可能なものではなく、放送番組の取材には最低二人の人数を必要とし、制作費を抑えることができない。
【０００７】
本発明は、上記課題に鑑みてなされたものであり、液晶モニタ等のディスプレイの画面上下端に文字情報を表示するようにし、番組リポータが一人でも収録可能にしたテレビカメラを提供することを目的とする。
【課題を解決するための手段】
【０００８】
本発明は、上記課題を達成したものであり、請求項１の発明は、光信号を電気信号に光電変換する固体撮像素子と、
該固体撮像素子の出力を処理し映像信号を出力する映像信号処理手段と、
取材文字情報を文字映像信号に変換する文字表示処理手段と、
前記映像信号処理手段と前記文字表示処理手段との夫々の出力を混合した映像信号を作成して出力すると共に、該混合した映像信号の表示および記録を制御する表示記録制御手段と、
前記表示記録制御手段から出力される前記混合した映像信号を表示するモニタと、
前記表示記録制御手段に基づいて前記混合した映像信号を記録する記録媒体とを具えたことを特徴とするテレビカメラである。
【０００９】
また、請求項２の発明は、前記テレビカメラが撮影時間情報または記録時間情報を映像信号に変換する時間表示処理手段を有し、前記表示記録制御手段が前記時間表示処理手段の出力を前記取材文字情報を混合した映像信号に混合する手段を有することを特徴とする請求項１に記載のテレビカメラである。
【００１０】
また、請求項３の発明は、前記文字表示処理手段が文字入力端子を有し、該文字入力端子から取材文字情報を入力し、該取材文字情報から文字情報と該文字情報を前記モニタの所定位置に表示するための位置情報を抽出する文字抽出手段と、前記文字抽出手段からの該文字情報と該位置情報とに基づいて文字映像信号に変換する文字映像作成手段とを有することを特徴とする請求項１に記載のテレビカメラである。
【００１１】
また、請求項４の発明は、前記位置情報が、前記モニタの画面上端および下端を指定する情報であることを特徴とすることを特徴とする請求項３に記載のテレビカメラである。
【００１２】
また、請求項５の発明は、前記表示記録制御手段が上下鏡像反転入力端子を有し、該上下鏡像反転入力端子からの反転入力信号により、前記映像信号処理手段からの出力信号のみを上下鏡像信号として前記モニタに表示することを特徴とする請求項１に記載のテレビカメラである。
【発明の効果】
【００１３】
請求項１の発明によれば、撮像信号を得ると共に、この撮像信号を映像信号に変換し、この映像信号に取材文字情報を混合した映像信号を得ることができるので、この映像信号を液晶モニタに表示したり記録媒体に記録することにより、撮像後の編集作業を簡略化することが可能なテレビカメラを提供できるし、迅速に放送素材として採用することが可能な利点がある。
【００１４】
請求項２の発明によれば、テレビカメラのモニタに文字情報として撮像時間や記録時間を表示することが可能となるため、リポータがテレビカメラで撮影中、放送時間に合わせて撮像時間等を確認しながら撮影することができ、カメラマンに頼ることなくリポータが一人で収録することができ、人件費を安価にできる利点がある。
【００１５】
請求項３の発明によれば、文字入力端子から入力される取材文字情報から文字情報と位置情報を抽出し、得られた文字情報と位置情報に基づいた映像信号に変換して映像信号処理手段に出力するため、撮像信号による映像信号と同じ種類の映像信号となり混合し易くなる利点がある。さらに、この文字情報を変換した映像信号の同期信号を撮像信号の同期信号を利用することによって、混合するときにタイミングを調整する必要がなく、シンプルな構成となる利点がある。
【００１６】
請求項４の発明によれば、取材文字情報が画面の上端または下端に表示されるため、撮像信号の中心部分の取材映像を妨害しない位置に文字情報が混合した映像が得られるため、放送素材を視る視聴者にとっても好適な画像信号を送出できる利点がある。
【００１７】
請求項５の発明によれば、取材映像のみの鏡像映像信号を作成することが可能であるので、リポータが一人で取材する際、リポータが液晶モニタに表示した鏡像映像を見ながら被撮影側の映像を確認できる利点がある。
【発明を実施するための最良の形態】
【００１８】
以下、本発明のテレビカメラの実施の形態について図面を参照し説明する。なお、図１は本実施形態のテレビカメラの全体を示すブロック図であり、図２は本実施形態の文字表示処理回路の一構成例を示すブロック図である。図３（ａ），（ｂ）は本実施形態における液晶モニタの表示画面の表示図であり、図４（ａ），（ｂ）は編集情報の文字列のフォーマットを示す構成図である。図５（ａ），（ｂ）はテレビカメラの取材例の例示図である。
【００１９】
本実施形態について図１のブロック図を参照し説明する。撮像素子（固体撮像素子）１０は、例えばＣＣＤ（Charge Coupled Device）であり、レンズを通して得られる光信号を撮像信号に変換する。撮像信号は、映像系ＤＳＰ（Digtal Sigual Processer）１１に入力されて信号処理され、映像信号として表示／記録制御部１２に入力される。なお、通常、放送用テレビカメラでは３または４個の固体撮像素子が使用されているが、この実施形態では一個で説明する。
【００２０】
表示／記録制御部１２は、映像系ＤＳＰ１１から出力される取材映像信号を記録媒体１３に記録したり、記録媒体１３に記録した取材映像信号を読み出して液晶モニタ１４に表示する映像処理機能を有し、テレビカメラ本体に内蔵され、取材映像信号を切替信号に基づいて鏡像映像信号に切り替えて出力する映像切替手段を有する。また、表示／記録制御部１２は、文字表示処理回路１５と時間表示処理回路１６とが接続され、かつ上下鏡像オン／オフ端子１７が接続されている。さらに、表示／記録制御部１２には、取材文字情報の撮影場所の文字情報を選択して表示するための選択表示手段を備え、撮影時に撮影場所の取材文字情報を選択表示することができる。
【００２１】
記録媒体１３は、表示／記録制御部１２と接続されて取材映像信号および音声信号を記録する媒体であり、例えばフラッシュメモリなどで構成され、テレビカメラ本体に着脱可能に装着されている。無論、記録媒体１３はハードディスクであってもよい。
【００２２】
液晶モニタ１４は、テレビカメラ本体に回転機構により回転自在に設けられ、レンズを通して得られる取材映像を表示するディスプレイであり、表示／記録制御部１２で信号処理された取材映像信号を映像として表示する。また、取材映像に取材情報を混合した映像を表示する。なお、液晶モニタ１４は、液晶、有機ＥＬ（Electroluminescence Display ）などの種々のフラットディスプレイによるモニタが使用可能であり、液晶モニタに限定するものではない。
【００２３】
文字表示処理回路１５は、後述の文字入力端子から入力される取材文字情報信号を映像信号に変換して文字映像信号とし表示／記録制御部１２に出力する。文字表示処理回路１５について、図２を参照して説明すると、文字表示処理回路１５は、取材文字情報信号が入力される文字入力端子２１と、文字入力端子２１から入力された取材文字情報信号から文字情報信号と位置情報信号とを抽出する文字抽出回路２２と、文字情報信号と文字情報信号を画面表示位置を指定する位置情報信号とによる文字映像信号を作成する文字映像作成回路２３と、文字映像信号を出力する文字映像出力端子２４とから構成されている。なお、文字映像信号とは取材映像信号に重畳可能な信号であり、また、取材文字情報とは取材時に利用可能な撮影場所等の情報であり、撮影場所等の情報はテロップ（テレビ放送の映像中の文字）としても利用することができる情報である。
【００２４】
時間表示処理回路１６は、液晶モニタ１４に表示する時間情報を映像信号に変換して時間映像信号とし表示／記録制御部１２に出力する。なお、時間映像信号は取材映像信号に重畳可能な信号である。なお、時間情報とは撮影開始時刻、撮影開始から終了までの時間である撮影時間、或いは記録媒体１３に取材映像を記憶する記録時間であり、または、これらの全ての情報である。
【００２５】
上下鏡像オン／オフ端子１７は鏡像表示用端子であって、液晶モニタ１４を回転させてその表示画面をカメラマン側から被撮影側、即ちレンズの光入射側に向けた際に、液晶モニタ１４の画面を鏡像表示とするための切換信号（上下鏡像オン／オフ信号）を表示／記録制御部１２に入力する端子である。上下鏡像オフ信号は液晶モニタ１４を回転させることなく、カメラマンによる通常の撮影状態において、上下鏡像オン／オフ端子１７を介して表示／記録制御部１２に入力される信号であり、また、上下鏡像オン信号は液晶モニタ１４を回転させて被撮影側に表示する際に入力される信号である。上下鏡像オン信号が上下鏡像オン／オフ端子１７に入力されると、液晶モニタ１４の画面の映像を鏡像表示とすることができる。
【００２６】
なお、上下鏡像オン／オフ信号は、液晶モニタ１４の回転をロータリ・エンコータで検知し、所定回転角に達した場合に上下鏡像オン信号が発生するようにしてもよいし、また、取材中に赤外線等を利用したリモートコントロールにより外部から上下鏡像オン／オフ信号を入力するようにしてもよい。さらに、リモートコントロールにより切換信号を外部から入力する場合、上下反転映像のみ、または上下鏡像映像を選択することも可能である。なお、上下反転映像を選択した場合、リポート側から撮影映像を確認することができる。
【００２７】
なお、液晶モニタ１４を回転させてその画面を被撮影側とした際、画面は通常とは上下逆になるので、表示／記録制御部１２は、上下鏡像オン信号に基づいて映像切換手段を作動させ、その上下逆の画面に合わせて取材映像信号の鏡像映像信号を作成し液晶モニタ１４に出力表示する。これによって、カメラマン或いはリポータが一人で液晶モニタ１４の画面を確認して撮影しリポートすることができるテレビカメラとすることができる。
【００２８】
本実施形態における液晶モニタ１４の表示例について図３（ａ），（ｂ）を参照し説明する。図３（ａ）は通常の表示例、図３（ｂ）は鏡像表示例である。液晶モニタ１４の表示が、同図（ｂ）のように、通常の表示例に対し鏡像表示とすると、被撮影側の映像が鏡に写った映像と同じになり、リポータは液晶モニタ１４で被撮影側の映像を確認しながら撮影することができる。
【００２９】
また、図３（ａ），（ｂ）の画面には取材文字情報が表示されており、取材文字情報はテロップとして利用することができる。取材文字情報は、撮影場所、撮影場所のさらに特定場所の文字情報であり、取材文字情報が画面の取材映像に重畳されて表示される。撮影場所の情報（デパート）は液晶モニタ１４の画面の上領域Ｆ１に重畳されて表示され、撮影場所を特定した特定場所の情報（食品売り場）は液晶モニタ１４の画面の下領域Ｆ２の取材映像に重畳されて表示される。さらに、画面には、撮影時間（０３：２０）、さらには記録時間が時間表示領域Ｔに取材映像に重畳されて表示される。
【００３０】
上下領域Ｆ１，Ｆ２及び時間表示領域Ｔは、図３（ａ）の通常の表示例、図３（ｂ）の鏡像表示例において同一表示位置となるように設定されている。撮影場所、撮影場所の特定場所、撮影時間、記録時間である取材や編集情報はテロップとして利用され、撮影時間及び記録時間はテロップとしては利用しない。また、図３（ａ），（ｂ）では、上領域Ｆ１が画面の上端１／８の領域であり、下領域Ｆ２が画面の下端１／８の領域であるが、これらの領域に限定するものではなく、画面の左側端領域や上端領域といった領域を利用してもよい。
【００３１】
取材文字情報（取材或いは編集情報）は記憶媒体（図示無し）に記憶される。この記憶媒体には、例えばＵＳＢ（Universal Serial Bus）メモリが用いられる。この記憶媒体には、取材文字情報の文字情報と、文字情報の画面上の位置を設定する位置情報とが記憶されており、そのフォーマットは図４（ａ），（ｂ）に示す構成となっている。図４（ａ）は画面の上領域Ｆ１を設定する位置情報とし「上」と、文字情報とし「○○デパート」が文字コードによるデータ順に格納され、図４（ｂ）では同一画面の下領域Ｆ２を設定する位置情報とし「下」と、文字情報とし「食品売り場」の文字コードがデータ順に格納されている。なお、このフォーマットに限定するものではないが、文字コードによる識別子が８文字列で構成され、最初の「上」，「下」の１文字目が位置情報であり、残りの７文字（「○○デパート」及び「食品売り場」）が取材情報またはテロップとして利用する文字情報であり、一画面に対し１６文字列で構成されている。なお、「○」は文字データが空白であることを意味する。
【００３２】
また、位置情報としては、「上」，「下」の文字コードではなく、演算の実行結果を符号で示すフラグ情報を利用してもよい。例えば、フォーマットの最初の１文字目にフラグ情報をセットすることにより画面の上領域Ｆ１を指定し、その後に画面に表示する「○○デパート」等の７文字の文字コードを記憶する。また、同様に、「食品売り場」の前にも最初の１文字目にフラグ情報をリセットして画面の下領域Ｆ２を指定する。このようにフォーマットの最初の１文字目の信号とし、セット又はリセットするフラグ情報をとすることによって、画面の上下領域Ｆ１，Ｆ２を指示することもできる。
【００３３】
また、別の構成例としては、メモリにテキストファイルを設けてもよい。例えば、頻繁に使用する文書をテキストファイルにしてメモリに記憶し、そのメモリをテレビカメラ本体内部に内蔵するようにする。テレビカメラ本体に選択釦を設け、選択釦を操作することによって、メモリに記憶された図４のフォーマットによる位置情報と文字情報とをテキストファイルから選択して液晶モニタの画面に取材映像に重畳させて表示させることができる。
【００３４】
次に、本実施形態の動作について図面を参照し説明する。テレビカメラのレンズを通して入射する光信号は固体撮像素子１０での光電変換により電気信号に変換されて映像系ＤＳＰ１１に入力される。映像系ＤＳＰ１１ではニー処理やガンマ処理などの一連の信号処理が行われ、取材映像信号として表示／記録制御部１２に出力される。表示／記録制御部１２に入力された取材映像信号は液晶モニタ１４に表示されるとともに記憶媒体１３に記憶される。
【００３５】
文字情報と位置情報による取材文字情報は、図４のフォーマットでＵＳＢメモリ（図示無し）に記憶されており、ＵＳＢメモリに記憶された文字情報と位置情報を取材文字情報として利用する場合、文字表示処理回路１５の入力端子（図２の文字入力端子２１）にＵＳＢメモリを接続し、文字表示処理回路１５がＵＳＢメモリの取材文字情報を読み出して文字抽出回路２２で文字情報と位置情報を抽出し分離し、文字映像作成回路２３に入力する。文字映像作成回路２３では、固体撮像素子１０や映像系ＤＳＰ１１と同じ同期信号（図示無し）を基にし、取材映像に対応した１フレーム毎の文字映像信号を作成する。
【００３６】
文字映像信号による映像について図３（ａ），（ｂ）を参照して説明すると、取材文字情報信号である位置情報（「上」，「下」）と文字情報の（「○○デパート」，「食品売り場」）が文字映像作成回路２３に入力されて文字映像信号が作成され、文字映像出力端子２４から文字映像信号が表示／記録制御部１２に供給される。
【００３７】
表示／記録制御部１２では、この文字映像信号に基づいて液晶モニタ１４の画面に、図３（ａ）に示すように、取材映像の画面の上端部Ｆ１に「○○デパート」、画面の下端部Ｆ２に「食品売り場」の文字映像が取材映像に夫々重畳して表示される。取材映像と文字映像とが混合された映像は記憶媒体１３に記憶される。記憶媒体１３から読み出された混合された映像は液晶モニタ１４に出力されて表示される。なお、文字情報の文字フォントは任意である。
【００３８】
時間表示処理回路１６は、時間情報を別の制御部（図示無し）から時間情報を得て時間映像信号に変換し、表示／記録制御部１２に供給し、図３（ａ）に示す画面の時間表示領域Ｔ、例えば、０３：２０のように、取材映像信号に重畳して表示する。記録媒体１３の記録時間は、その残りの記憶領域から残り時間情報を得て、残り時間情報を、記録時間と同様に時間映像信号に変換し表示／記録制御部１２に供給し取材映像信号に重畳する。また、時間映像信号についても表示位置の情報が所定のフォーマットで表示／記録制御部１２に供給される。記録時間表示では、記憶媒体１３の記憶容量を越えないように、記憶容量が所定の限界値に達した場合、表示色を変えることによって、記憶容量の残量を警告するようにする。時間表示処理回路１６は、文字映像作成回路２３と同様に固体撮像素子１０や映像系ＤＳＰ１１と同じ同期信号（図示無し）を基にして時間映像信号が作成される。
【００３９】
なお、上記形態では、撮影時間の情報を得るために他の制御部から時間情報が供給されるようにしたが、表示／記録制御部１２からの時間情報を利用してもよい。表示／記録制御部１２からの時間情報を利用した場合、時間表示処理回路１６が時間情報を受け、時間情報から撮影時間（撮影開始から終了までの時間）を演算手段で算出し、得られた撮影時間情報を時間表示処理回路１６で取材映像信号に重畳可能な撮影時間映像信号を作成し、表示／記録制御部１２に出力する。また、時間表示処理回路１６を表示／記録制御部１２に内蔵するように構成してもよい。
【００４０】
本実施形態の表示／記録制御部１２では、映像系ＤＳＰ１１の取材映像信号と、文字表示回路１５および時間表示処理回路１６で処理して得られる文字・時間映像信号とを加算して液晶モニタ１４に表示する。記録媒体１３には、映像系ＤＳＰ１１の取材映像信号と文字表示回路１６の処理結果の文字・時間映像信号とを混合して記録する。記録媒体１３からの読み出した混合映像信号は、図３（ａ）のように、通常通り記録された映像信号が液晶モニタ１４に表示される。また、図３（ｂ）のように、取材映像信号のみを鏡像映像信号とし、取材文字情報及び時間情報は上下領域Ｆ１，Ｆ２のみを上下反転し、取材文字情報及び時間情報自体の映像信号は左右を反転することなく液晶モニタ１４に出力して表示する。
【００４１】
さらに、詳述すると、液晶モニタ１４は回転機構により回転自在にテレビカメラ本体に装備されており、図３（ａ）は液晶モニタ１４の通常の表示例であるのに対し、図３（ｂ）は液晶モニタ１４をその画面の横方向を回転中心とし１８０°回転させた場合の表示例である。例えば、液晶モニタ１４を回転させて、取材映像信号が通常のままであれば表示も上下逆に表示される。また、液晶モニタ１４を回転させた際、取材映像信号を単に上下逆になるように処理した場合、映像の上下は正常であるが、撮影側の移動物体が右に移動すれば画面では左に移動することになり、撮影側から液晶モニタ１４の表示画面を見た場合、違和感を覚えることになる。
【００４２】
しかし、本実施形態では、上下鏡像オン／オフ入力端子１７が設けられ、液晶モニタ１４の回転機構には、液晶モニタ１４を所定角度、例えば半回転させると上下鏡像オン／オフ信号が出力されて上下鏡像オン／オフ入力端子１７から表示／記録制御部１２に入力され、この上下鏡像オン信号に基づいて、取材映像が上下逆転し、かつ左右が逆転するように、即ち、取材映像信号が鏡像映像となるように信号処理される。なお、上下鏡像オン／オフ信号は、液晶モニタ１４の回転機構にロータリ・エンコーダを設け、所定の回転角を検知し上下鏡像オン信号が出力するように設定すればよい。
【００４３】
また、表示／記録制御部１２は、上下鏡像オン信号に基づいて上下左右が逆転した鏡像映像（以下、上下鏡像映像と称する）とする映像切換手段で処理することが可能であり、映像切換手段は映像信号の出力ラインを切り換える手法である。また、表示／記録制御部１２に鏡像映像作成手段を備えてもよい。鏡像映像作成手段は反転した液晶モニタ１４の画面の水平走査を上右端から左端へと順次走査する手段であり、鏡像映像作成手段により上下鏡像映像信号を作成することができる。なお、記録媒体１３には鏡像映像信号ではなく、通常の映像信号が記憶される。上下鏡像オン信号の場合のみ液晶モニタ１４の表示のみ上下鏡像映像とする。
【００４４】
また、図５（ａ），（ｂ）は、取材中のテレビカメラを上から見た図であり、テレビカメラ本体５２に液晶モニタ５３が回転機構により回転自在に設けられ、レンズ５１がリポータ側に向いており、同図（ａ）はカメラマンがリポータを撮影する通常の撮影状態を示し、液晶モニタ５３の画面はカメラマン側に向いており、図（ｂ）はリポータが一人でカメラマンを兼ねて撮影する撮影状態を示し、液晶モニタ５３の画面がリポ−タ側に向いている。例えば、図５（ａ）の場合の液晶モニタ５３の取材映像が図３（ａ）であり、図５（ｂ）の場合の取材映像が図３（ｂ）であり、図３（ｂ）は図３（ａ）に対し上下鏡像映像である。
【００４５】
本実施形態のテレビカメラでは、リポータが一人で取材する場合、先ず、リポータが、図５（ａ）に示すように、カメラマン側の位置でテレビカメラのフォーカス等を合わせて取材対象の映像を確認する。次に、リポータが液晶モニタ５３を反転し、図５（ｂ）の位置関係となるように設定して取材対象側に移動し、取材対象側から液晶モニタ５３の画面を見ながら撮影を開始する。画面に表示される時間表示を確認し、放送時間を考慮し撮影を行う。撮影場所等の情報はテレビカメラがリモート・コントロールを備える場合、リモート・コントロールで遠隔操作し取材映像に文字情報を重畳させて表示することができる。この文字情報及び時間情報が重畳された取材情報は記録媒体１３に記憶される。
【産業上の利用可能性】
【００４６】
本発明の活用例としては、放送用の素材を取材するとき、カメラマンを必要とせずにリポータ一人で取材することができるテレビカメラである。
【図面の簡単な説明】
【００４７】
【図１】本実施形態のテレビカメラの全体を示すブロック図である。
【図２】本実施形態の文字表示処理回路の一構成例を示すブロック図である。
【図３】（ａ）は液晶モニタの表示画面の通常の表示状態を示す図であり、（ｂ）は液晶モニタの上下鏡像画像を表示した図である。
【図４】（ａ），（ｂ）は編集情報の文字列を記憶するフォーマットの構成図である。
【図５】（ａ），（ｂ）はテレビカメラの取材例の例示図である。
【図６】（ａ）は電子台本装置のブロック図であり、（ｂ）は表示例である。
【符号の説明】
【００４８】
１０  撮像素子（固体撮像素子）
１１  映像系ＤＳＰ（映像信号処理手段）
１２  表示／記録制御部（表示記録制御手段）
１３  記録媒体
１４  液晶モニタ
１５  文字表示処理回路（文字表示処理手段）
１６  時間表示処理回路（時間表示処理手段）
１７  上下鏡像オン／オフ入力端子
２１  文字入力端子
２２  文字抽出回路（文字抽出手段）
２３  文字映像作成回路（文字映像作成手段）
２４  文字映像出力端子
５１  レンズ
５２  テレビカメラ本体
５３  液晶モニタ
【図１】
2009290252.tif 000003
【図２】
2009290252.tif 000004
【図３】
2009290252.tif 000005
【図４】
2009290252.tif 000006
【図５】
2009290252.tif 000007
【図６】
2009290252.tif 000008